(57)【要約】【課題】ガラスびんが割れたことを容易に発見でき、シュリンクラベルの位置合わせが不要で、びんの軽量化が可能なシュリンクラベル付きガラスびんとする。【解決手段】ガラスびんの胴部に少なくとも縦方向に連通する凹部を形成し、該胴部を、内面に多数の突部を形成することで少なくとも上下方向に連通する凹部が形成したシュリンクラベルで被覆する。びんの凹部とラベルの凹部により、びんとラベルの間に流路が確保され、漏れ出た内溶液がラベル外部に流出する。ラベルにも凹部が設けられるので、ラベルの孔とびんの凹部の位置合わせが不要となり、びんの凹部の深さを浅くしてびんを軽量化できる。【選択図】      図２
2008207858.tif 000002
【特許請求の範囲】
【請求項１】
ガラスびんの胴部に凹凸を多数形成することで縦方向及び横方向に連通する凹部を形成し、該胴部をシュリンクラベルで被覆したシュリンクラベル付きガラスびんであって、前記シュリンクラベルの内側に多数の突部を設けることで少なくとも上下方向に連通する凹部が形成され、ガラスびんの胴部に割れが生じた場合、胴部外表面に漏れ出した内溶液がシュリンクラベル下端から外部に流れ出るようにしたことを特徴とするシュリンクラベル付きガラスびん。
【請求項２】
ガラスびんの胴部に、少なくとも上下方向に連通する溝を形成し、該胴部をシュリンクラベルで被覆したシュリンクラベル付きガラスびんであって、前記シュリンクラベルの内側に多数の突部を設けることで少なくとも上下方向に連通する凹部が形成され、ガラスびんの胴部に割れが生じた場合、胴部外表面に漏れ出した内溶液がシュリンクラベル下端から外部に流れ出るようにしたことを特徴とするシュリンクラベル付きガラスびん。
【請求項３】
請求項１のガラスびんにおいて、前記ガラスびんの凹凸が、ガラスびん胴部に突起を多数設けることにより形成されているシュリンクラベル付きガラスびん。
【請求項４】
請求項１のガラスびんにおいて、前記ガラスびんの凹凸が、不定形な微細な凹凸を組み合わせた梨地状のものであるシュリンクラベル付きガラスびん。
【請求項５】
請求項１〜４のいずれかのガラスびんにおいて、前記シュリンクラベルに任意の色の地色印刷を施したことを特徴とするシュリンクラベル付きガラスびん。
【請求項６】
請求項１〜５のいずれかのガラスびんにおいて、前記シュリンクラベルの上端をガラスびんの前記凹凸又は溝を形成した領域の上端よりも下方としたことを特徴とするシュリンクラベル付きガラスびん。
【請求項７】
請求項１〜６のいずれかのガラスびんにおいて、前記シュリンクラベルの下端をガラスびんの前記凹凸又は溝を形成した領域の下端よりも上方としたことを特徴とするシュリンクラベル付きガラスびん。
【請求項８】
請求項１〜７のいずれかのガラスびんにおいて、前記シュリンクラベルに、その周方向に沿って複数の孔を設けたことを特徴とするシュリンクラベル付きガラスびん。
【請求項９】
請求項１〜８のいずれかのガラスびんにおいて、前記シュリンクラベルの凹部の深さが４μｍ以上であり、該凹部の合計面積が前記突部を形成した領域の面積の５〜９０％であることを特徴とするシュリンクラベル付きガラスびん。
【請求項１０】
請求項１〜９のいずれかのガラスびんにおいて、前記シュリンクラベルの凹部が上下方向の縞状であることを特徴とするシュリンクラベル付きガラスびん。
【請求項１１】
請求項１〜１０のいずれかのガラスびんにおいて、前記シュリンクラベルの凹部が不定形の突部を多数設けることにより形成されていることを特徴とするシュリンクラベル付きガラスびん。
【請求項１２】
請求項１〜１１のいずれかのガラスびんにおいて、前記シュリンクラベルの凹部は、該ラベルの上下方向の全長に亘って連通することを特徴とするシュリンクラベル付きガラスびん。
【請求項１３】
請求項１〜１２のいずれかのガラスびんにおいて、前記シュリンクラベルの突部は、隆起インキ、発泡インキ、または樹脂ビーズを含有するスウェード調インキを、基材フィルムの内側にパターン状に印刷して形成されていることを特徴とするシュリンクラベル付きガラスびん。
【請求項１４】
請求項１３のガラスびんにおいて、前記基材フィルムは、延伸ポリエステル系フィルム、延伸ポリスチレン系フィルム、延伸ポリオレフィン系フィルム、ポリ乳酸系フィルム、発泡ポリオレフィン系フィルム、発泡ポリスチレン系フィルム、ポリエステル−ポリスチレン多層フィルム、不織布と収縮フィルムとのラミネートフィルムおよび延伸ポリエステル−ポリスチレン共押出しフィルムからなる群から選択される１種以上のフィルムであることを特徴とするシュリンクラベル付きガラスびん。
【請求項１５】
請求項１〜１４のいずれかのガラスびんにおいて、前記シュリンクラベルにデザイン印刷層を設けたことを特徴とするシュリンクラベル付きガラスびん。
【請求項１６】
請求項１〜１５のいずれかのガラスびんにおいて、前記シュリンクラベルの表面側に外層を設けたことを特徴とするシュリンクラベル付きガラスびん。
【発明の詳細な説明】
【技術分野】
【０００１】
本発明は、ガラスびんが割れたことを容易に発見できるシュリンクラベル付きガラスびんに関する。
【背景技術】
【０００２】
胴部にシュリンクラベルを被覆したガラスびんは、胴部に割れが発生して内溶液が漏れ出した場合、漏れた液がシュリンクラベルの内側に留まり、発見しにくいという難点がある。びんの割れを容易に発見できるシュリンクラベル付きガラスびんは、例えば下記の特許文献１に開示されている。これは、びん胴部に多数の縦溝を形成しておき、胴部を覆ったシュリンクラベルの縦溝の位置の上下に、縦溝と外部を連通する連通孔を設けたものである。びん割れが発生してびん胴部外面に内溶液が漏れ出すと、その内溶液が上記連通孔からシュリンクラベルの外部に流れ出し、びん割れを発見しやすい構成となっている。
【特許文献１】特開２００５−２３９２４６
【発明の開示】
【発明が解決しようとする課題】
【０００３】
上記従来のシュリンクラベル付きガラスびんは、漏れ出した内溶液が、縦溝と外部を連通する連通孔から外部に出てくる構成であるため、シュリンクラベルに形成した連通孔が確実に全ての縦溝の位置に来るように位置合わせをしなければならず、シュリンクラベルを装着する工程が煩雑になる。連通孔の位置が合っていないものは不良品となり、シュリンクラベルを剥がして再び装着し直さなければならない。連通孔を非常に細かいピッチで設ければ位置合わせは不要となるが、シュリンクラベルの連通孔を設けた部分が脆弱になり、流通過程で切断されてしまうおそれがあり、見栄えがきわめて悪くなるという問題がある。
【０００４】
また、びんに形成する縦溝は、内溶液が流れ落ちるのに十分な深い溝としなければならず、溝形成による断面欠損を補うために、ガラスびん全体の肉厚を厚く形成しなければならず、ガラスびんの軽量化の要請に逆行し、ガラス資源の無駄使いとなるばかりでなく、コスト高となっていた。
【０００５】
本発明は上記の従来技術の問題点を解決し、シュリンクラベルの位置合わせが不要で、しかも、シュリンクラベルが流通段階で切断してしまうおそれがなく、びんを全体として肉薄に形成できるシュリンクラベル付きガラスびんを開発することを課題とする。
【課題を解決するための手段】
【０００６】
〔請求項１〕
本発明は、ガラスびんの胴部に凹凸を多数形成することで縦方向及び横方向に連通する凹部を形成し、該胴部をシュリンクラベルで被覆したシュリンクラベル付きガラスびんであって、前記シュリンクラベルの内側に多数の突部を設けることで少なくとも上下方向に連通する凹部が形成され、ガラスびんの胴部に割れが生じた場合、胴部外表面に漏れ出した内溶液がシュリンクラベル下端から外部に流れ出るようにしたことを特徴とするシュリンクラベル付きガラスびんである。
【０００７】
〔請求項２〕
また本発明は、ガラスびんの胴部に、少なくとも上下方向に連通する溝を形成し、該胴部をシュリンクラベルで被覆したシュリンクラベル付きガラスびんであって、前記シュリンクラベルの内側に多数の突部を設けることで少なくとも上下方向に連通する凹部が形成され、ガラスびんの胴部に割れが生じた場合、胴部外表面に漏れ出した内溶液がシュリンクラベル下端から外部に流れ出るようにしたことを特徴とするシュリンクラベル付きガラスびんである。
【０００８】
〔請求項３〕
また本発明は、前記請求項１のガラスびんにおいて、前記ガラスびんの凹凸が、ガラスびん胴部に突起を多数設けることにより形成されているシュリンクラベル付きガラスびんである。
【０００９】
〔請求項４〕
また本発明は、前記請求項１のガラスびんにおいて、前記ガラスびんの凹凸が、不定形な微細な凹凸を組み合わせた梨地状のものであるシュリンクラベル付きガラスびんである。
【００１０】
〔請求項５〕
また本発明は、前記請求項１〜４のいずれかのガラスびんにおいて、前記シュリンクラベルに任意の色の地色印刷を施したことを特徴とするシュリンクラベル付きガラスびんである。
【００１１】
〔請求項６〕
また本発明は、前記請求項１〜５のいずれかのガラスびんにおいて、前記シュリンクラベルの上端をガラスびんの前記凹凸又は溝を形成した領域の上端よりも下方としたことを特徴とするシュリンクラベル付きガラスびんである。
【００１２】
〔請求項７〕
また本発明は、前記請求項１〜６のいずれかのガラスびんにおいて、前記シュリンクラベルの下端をガラスびんの前記凹凸又は溝を形成した領域の下端よりも上方としたことを特徴とするシュリンクラベル付きガラスびんである。
【００１３】
〔請求項８〕
また本発明は、前記請求項１〜７のいずれかのガラスびんにおいて、前記シュリンクラベルに、その周方向に沿って複数の孔を設けたことを特徴とするシュリンクラベル付きガラスびんである。
【００１４】
〔請求項９〕
また本発明は、前記請求項１〜８のいずれかのガラスびんにおいて、前記シュリンクラベルの凹部の深さが４μｍ以上であり、該凹部の合計面積が突部を形成した領域の面積の５〜９０％（以下「凹部面積率」という）であることを特徴とするシュリンクラベル付きガラスびんである。なお、凹部面積率の算定にあたって、突部を形成した領域の面積は、ラベル面積から突部を形成しない領域（例えば、ラベル両端に接着剤層を設け、該接着剤層を設ける領域に突部を形成しない場合の該領域）の面積を除外した面積である。
【００１５】
〔請求項１０〕
また本発明は、前記請求項１〜９のいずれかのガラスびんにおいて、前記シュリンクラベルの凹部が上下方向の縞状であることを特徴とするシュリンクラベル付きガラスびんである。
【００１６】
〔請求項１１〕
また本発明は、前記請求項１〜１０のいずれかのガラスびんにおいて、前記シュリンクラベルの凹部が不定形の突部を多数設けることにより形成されていることを特徴とするシュリンクラベル付きガラスびんである。
【００１７】
〔請求項１２〕
また本発明は、前記請求項１〜１１のいずれかのガラスびんにおいて、前記シュリンクラベルの凹部は、該ラベルの上下方向の全長に亘って連通することを特徴とするシュリンクラベル付きガラスびんである。
【００１８】
〔請求項１３〕
また本発明は、前記請求項１〜１２のいずれかのガラスびんにおいて、前記シュリンクラベルの突部は、隆起インキ、発泡インキ、または樹脂ビーズを含有するスウェード調インキを、基材フィルムの内側にパターン状に印刷して形成されていることを特徴とするシュリンクラベル付きガラスびんである。
【００１９】
〔請求項１４〕
また本発明は、前記請求項１３のガラスびんにおいて、前記基材フィルムは、延伸ポリエステル系フィルム、延伸ポリスチレン系フィルム、延伸ポリオレフィン系フィルム、ポリ乳酸系フィルム、発泡ポリオレフィン系フィルム、発泡ポリスチレン系フィルム、ポリエステル−ポリスチレン多層フィルム、不織布と収縮フィルムとのラミネートフィルムおよび延伸ポリエステル−ポリスチレン共押出しフィルムからなる群から選択される１種以上のフィルムであることを特徴とするシュリンクラベル付きガラスびんである。
【００２０】
〔請求項１５〕
また本発明は、前記請求項１〜１４のいずれかのガラスびんにおいて、前記シュリンクラベルにデザイン印刷層を設けたことを特徴とするシュリンクラベル付きガラスびんである。
【００２１】
〔請求項１６〕
また本発明は、前記請求項１〜１５のいずれかのガラスびんにおいて、前記シュリンクラベルの表面側に外層を設けたことを特徴とするシュリンクラベル付きガラスびんである。
【発明の効果】
【００２２】
本発明は、シュリンクラベルの内側に多数の突部を設けることで少なくとも上下方向に連通する凹部が形成されているので、従来のびんのみに縦溝があるものに比べて、ガラスびん外面とシュリンクラベル内面の間に空気及び内容液が通過する凹部が確保され、内容液がスムースにシュリンクラベルの外部に流れ出る。したがって、従来よりもびん外面に設ける凹凸又は溝の深さを浅くし、間隔を大きくしても、同等又はそれ以上の効果を上げることができ、びん外面に溝を形成することによる断面欠損を少なくし、ガラスびんの肉厚を薄くして軽量化を実現できる。また、ラベル内面の突部が緩衝材として作用し、衝撃が加わった際ガラスびんが割れにくくなる。
【００２３】
ガラスびんの胴部に凹凸を多数形成することで縦方向及び横方向に連通する凹部を形成した場合、凹部が縦方向のみならず横方向にも連通しているので、びん割れが生じた場合、びん外面に漏れ出した内溶液が縦方向のみならず横方向にも拡がって胴部下端近傍から外部に流れ出すので、内溶液の漏れを更に発見しやすい。シュリンクラベルに孔を設ける場合でも、ラベルに凹部が設けられているので孔の位置合わせが不要となる。
【００２４】
シュリンクラベルに地色印刷を施すと、ガラスびんが割れて内溶液がびん外面とシュリンクラベルの間に染み出てきたとき、その部分の地色印刷の色合いが変化するので、内容液がシュリンクラベル外部に流れ出る前にびん割れを発見することができる。地色印刷の色は特に制限されないが、白色に近い明るい色とすることで、漏れ出た内溶液を容易に発見することができる。
【００２５】
本発明において、シュリンクラベルの上端は、必ずしも、ガラスびんの凹凸又は溝を形成した領域の上端よりも下方にする必要はない。シュリンクラベルの内側に形成した突部により、ガラスびん外面とシュリンクラベル内面の間に凹部が確保され、これによりびんとラベルの間に空気が進入できるからである。しかし、シュリンクラベルの上端をガラスびんの凹凸又は溝を形成した領域の上端よりも下方にすることで、びんとラベルの間により一層空気が進入しやすくなり、好適である。
【００２６】
本発明において、シュリンクラベルの下端は、必ずしも、ガラスびんの凹凸又は溝を形成した領域の下端よりも上方とする必要はない。シュリンクラベルの内側に形成した突部により、ガラスびん外面とシュリンクラベル内面の間に凹部が確保され、これによりびんとラベルの間から内容液が流れ出るからである。しかし、シュリンクラベルの下端をガラスびんの凹凸又は溝を形成した領域の下端よりも上方とすることで、内容液の流れ出しが、より一層確実なものとなり、好適である。
【００２７】
本発明において、シュリンクラベルには、必ずしも、孔を設ける必要はない。シュリンクラベルの内側に形成した突部により、ガラスびん外面とシュリンクラベル内面の間に凹部が確保されるからである。しかし、シュリンクラベルに、その周方向に沿って複数の孔を設けると、その孔からラベルとびん外面の間への空気の侵入が助長され、また、その孔から内容液が流れ出てびん割れを発見しやすくなる。孔を形成する高さに制限はない。孔をラベルの上端付近に形成すると、その孔は主にラベルとびん外面の間への空気の進入を助長する作用効果を有し、ラベル下端付近に形成すると、主にその孔から内容液が流れ出てびん割れを発見しやすくなる作用効果を有する。ラベルの中央付近に形成すると、ラベル上端付近に形成した場合と下端付近に形成した場合の中間的な作用効果を有することとなる。孔は複数段（例えばラベル上端付近と下端付近）に形成してもよい。なお、ガラスびん外面に縦溝を形成した場合において、縦溝と孔の位置合わせは特に必要ない。
【発明を実施するための最良の形態】
【００２８】
シュリンクラベルの凹部の深さは４μｍ以上、好ましく６〜１５０μｍ、特に好ましくは６〜６０μｍである。深さが４μｍ未満であると、びんとシュリンクラベル間の間隔が不十分となる場合がある。また、前記凹部面積率は、５〜９０％、特に好ましくは４０〜７０％である。５％を下回ると、びんが破損した場合の内容物の流路が十分に確保できない場合があり、９０％を超えると、凹部がびん外面と接触して実質的に流路を形成することができない場合がある。
シュリンクラベルの突部及び凹部の形状は、凹部が少なくとも上下方向に連通するように形成されていることを条件に、特に限定されるものではない。例えば、凹部をシュリンクラベルの上下方向に縞状に構成したものや、不定形の突部を多数設けることにより凹部を形成したものとすることができる。また、シュリンクラベルの凹部は、必ずしも、該ラベルの上下方向の全長に亘って連通していることを要しないが、全長に亘って連通している方が、漏れ出た内容液が容易にラベル外に流出するので好ましい。
【００２９】
シュリンクラベルを構成する基材フィルムとしては、熱処理によって収縮できるものを広く使用することができ、更には、機械的、物理的、化学的強度、印刷適性を有するフィルムを使用することが好ましい。このようなフィルムは、シュリンクラベルの用途によって適宜選択することができる。例えば、ポリ乳酸系フィルム、ポリスチレン系フィルム、ポリエステル系フィルム、低密度ポリエチレンフィルム、中密度ポリエチレンフィルム、高密度ポリエチレンフィルム、低密度直鎖状ポリエチレンフィルム、環状ポリオレフィンフィルム、ポリプロピレンフィルム、エチレン−プロピレン共重合体、エチレン−酢酸ビニル共重合体、アイオノマー樹脂、エチレン−アクリル酸共重合体、エチレン−アクリル酸メチル共重合体等の樹脂から製膜された延伸ポリオレフィンフィルム、ポリエステル−ポリスチレン多層フィルム、不織布と収縮フィルムとのラミネートフィルム、ポリエステル−ポリスチレン共押出フィルム、６ナイロンフィルム、６，６ナイロンフィルム等のポリアミドフィルム、塩素化ポリエチレン，塩素化ポリプロピレンなどの樹脂から製膜された変性ポリオレフィンフィルム、塩化ビニル−酢酸ビニル共重合体の樹脂から製膜されたフィルム、アクリル系樹脂フィルム等が使用できる。
【００３０】
上記フィルムは、それを構成する樹脂の１種または２種以上を使用し、押し出し法、キャスト成形法、Ｔダイ法、切削法、インフレーション法、その他等の製膜化法を用いて単層で製膜化したもの、または２種以上の樹脂を使用して共押し出しなどで多層製膜したもの、または２種以上の樹脂を混合使用して製膜し、テンター方式やチューブラー方式等で１軸ないし２軸方向に延伸してなる各種の樹脂フィルムを使用することができるが、シュリンクフィルムとして好適なものは、延伸フィルムであって流れ方向の一軸延伸フィルムである。また、これらフィルムは、発泡フィルムであってもよい。
【００３１】
本発明では、延伸ポリエステル系フィルム、延伸ポリスチレン系フィルム、延伸ポリオレフィン系フィルム、ポリ乳酸系フィルム、発泡ポリオレフィン系フィルム、延伸ポリエステル−ポリスチレン共押出しフィルムまたは発泡ポリスチレン系フィルム、ポリエステル−ポリスチレン多層フィルムなどを好適に使用することができ、または不織布と前記フィルムとの積層フィルムであってもよい。これらの中でも、延伸ポリエステル系フィルム、延伸ポリスチレン系フィルム、延伸ポリオレフィン系フィルム、ポリ乳酸系フィルム、発泡ポリオレフィン系フィルム、発泡ポリスチレン系フィルム、ポリエステル−ポリスチレン多層フィルム、不織布と収縮フィルムとのラミネートフィルム、延伸ポリエステル−ポリスチレン共押出しフィルムからなる群から選択される１種以上のフィルムが好ましい。なお、延伸フィルムは、一軸延伸であっても二軸延伸であってもよく、一軸延伸フィルムの場合は縦一軸延伸であっても横一軸延伸であってもよい。ただし、予めシュリンクラベルを筒状にして容器に装着し、次いで熱収縮処理を行うシュリンクラベルでは、横一軸延伸フィルムが好適であるのに対し、本願発明のシュリンクラベルは、シュリンクラベルとして使用する場合であっても、横一軸延伸フィルムの限定されるものでなく、横一軸延伸、縦一軸延伸、二軸延伸フィルムのいずれをも好適に使用することができる。
一方、本発明のラベルが、シュリンクラベルとしての効果を奏するには、延伸方向に対する熱収縮率が５〜６０％であることが好ましい。なお、本発明における熱収縮率とは、テンター方式で基材フィルムの流れに対して一軸延伸した場合、その直角方向（幅方向）の熱収縮率が、１００℃の沸騰水による熱収縮率とし、その算出は次の式に従うものとする。
熱収縮率（％）＝（（加熱前の寸法−加熱後の寸法）／（加熱前の寸法））×１００
なお、基材フィルムの厚みは、特に限定されないが、耐熱性、剛性、機械適性、外観等を損なわない範囲で適宜選択され、１０〜２５０μｍ程度が好ましい。
更に、上記の基材フィルムには、必要に応じて、滑剤、充填剤、熱安定剤、酸化防止剤、紫外線吸収剤、帯電防止剤、難燃剤、着色剤等の各種添加剤を添加してもよい。また、基材フィルムの表面には、印刷性を向上させるため、コロナ放電処理、プラズマ処理、火炎処理、酸処理などの慣用の表面処理を施してもよい。
【００３２】
基材フィルムに突部を形成する方法に特に制限はない。しかしながら、シュリンクラベルとしての特性を発揮するためには、突部が隆起インキ、発泡インキ、または樹脂ビーズを含有するスウェード調インキなどのコーティング材料によって形成されることが好ましい。このようなコーティング材料によって突部を形成する場合には、印刷技術によることができ、かつ既存の印刷装置を使用することができるからである。
突部のパターンとしては、例えば図３、４に例示した態様に限定されず、網状や格子状のパターンや、ランダムなドットのパターン等であってもよい。更に、突部又は凹部によってラベル全域に亘る文字や絵などの図柄を形成してもよい。この図柄は、例えばドットの集合によって形成したものであってもよい。このパターンを形成する線やドットのピッチ等は、適宜変更することができ、例えば、前記ドットの大きさは、等価円に換算して１５０〜２５０μｍで絵柄を構成することができる。なお、凹部は深さ４μｍ以上であり、より好ましくは４〜１５０μｍ、特に好ましくは５〜６０μｍである。
【００３３】
本発明で好適に使用できる隆起インキとしては、ポリ塩化ビニルゾル、アミノアルキッド樹脂等よりなるインキ、ウレタンアクリレート等による紫外線、または、電子線硬化性のインキ、ポリウレタン樹脂、不飽和ポリエステル樹脂、エポキシ樹脂よりなり、必要に応じて硬化剤、重合促進剤等を添加したものを用いることができる。かかるコーティング方法は、また、グラビア印刷、シルクスクリーン印刷等のインキ転移量が多い印刷方式が好ましく、版深３５〜８０μｍ以上のグラビア版で印刷することが好ましい。
【００３４】
本発明で好適に使用できる発泡インキの材料としては、一般のグラビアインキ、シルクスクリーン用インキに用いられる、天然樹脂、合成樹脂類のいずれからも選択が可能であり、例えば、ポリウレタン樹脂、アクリル樹脂、ポリアミド樹脂、ポリエステル樹脂、塩化ゴム、塩化ビニル・酢酸ビニル共重合体、ポリビニルブチラール樹脂、ニトロセルロース等のバインダーを使用することができる。
バインダーを溶解する溶剤は、バインダーの種類と、印刷方法とによって選択されるが、例えば、グラビア印刷の場合は速乾性の溶剤を、シルクスクリーン印刷等の枚葉印刷の場合は、遅乾性の溶剤を主として配合される。
例えば、速乾性の溶剤としては、トルオール、メチルエチルケトン、酢酸エチル、エタノール、イソプロピルアルコール等があり、遅乾性の溶剤としては、キシロール、酢酸ブチル、エチレングリコールモノメチルエーテル、エチレングリコールモノエチルエーテル、酢酸エチレングリコールモノメチルエーテル、酢酸エチレングリコールモノエチルエーテル、メチルイソブチルケトン、ブチルアルコール等のなかから、バインダーの種類による溶解性や、印刷手段とにより適宜選択して使用することができる。
また、発泡インキのバインダーが、合成樹脂ディスパージョン、メチルセルロース、ヒドロキシセルロース、澱粉等の水溶性の場合は、溶媒を水を主体にすることができる。
上記の発泡インキに含有させる発泡剤は、低沸点炭化水素をインサイト重合法により、塩化ビニリデン、アクリロニトリルなどの共重合体の殻壁でマイクロカプセル化した熱膨張性微小球である。
そして、その膨張倍率は、２０〜７０倍のものである。これを含むインキは、発泡剤の膨張倍率が２０〜７０倍（厚さに換算すれば、２．７〜４．１倍）の高倍率である。なお、発泡インキのバインダー溶液に、例えば、熱分解型発泡剤を分散させて作製することができる。
【００３５】
なお、本発明では基材フィルムは液体用容器に装着した後に熱収縮工程を経るものである。このため、前記発泡インキは、シュリンクラベルを熱収縮させる際の加熱条件で発泡できることが好ましく、シュリンクラベルに使用する基材フィルムの材質により、その熱収縮温度が異なるため一律ではないが、発泡温度、５０〜１２０℃の範囲が好ましく、７０〜１００℃の範囲がより好ましい。
シュリンクラベルを熱収縮させる場合、熱収縮の加熱条件での発泡性を実現するため、発泡剤には低沸点炭化水素を芯物質とし、ポリ塩化ビニリデン系共重合体、または、ポリアクリロニトリル系共重合体を壁物質としてマイクロカプセル化した球状粒子を用いることが好ましく、その粒径、５〜４０μｍが好ましく、１０〜３０μｍがより好ましい。
前記芯物質の低沸点炭化水素としては、例えば、ｎ−ブタン、イソブタン、シクロペンタン、ｎ−ペンタン、プロパンなどを使用することができる。このようなマイクロカプセルによる発泡剤は、例えば、粒径１０〜３０μｍのもので最高膨張倍率を２０〜７０倍とすることができる。
このようなマイクロカプセルによる発泡剤を用いて、例えば、グラビア印刷用の低温加熱で発泡するインキを作製する場合、溶剤に酢酸エチルやメチルエチルケトンなどを大量に使用すると、マイクロカプセルが壊れる恐れがあるため、このようなエステル系およびケトン系溶剤は、できるだけ、使用しないことが好ましい。そのためには、発泡性インキのバインダーに関しても、例えば、トルエンとイソプロピルアルコール（以下、「ＩＰＡ」という。）の混合系などの溶剤で溶液化でき、且つ、比較的広範囲の樹脂フィルムに接着性のよいアクリル樹脂などを用いて、その溶液に前記のマイクロカプセルを分散させて、グラビア印刷用の低温加熱発泡性インキを作製することができる。なお、発泡性インキの厚みは、４〜４０μｍ程度が好ましい。
【００３６】
本発明で使用できるスウェード調インキとしては、バインダーに樹脂ビーズを練り込み、基材フィルム層のラベル内側に凹凸形状を形成するものである。
バインダーとしては、一般的に包装材料において使用されている樹脂を使用でき、例えば、ニトロセルロース樹脂、ポリアミド樹脂、ポリ塩化ビニル樹脂、アクリル樹脂、ケトン樹脂等を使用することができる。
スウェード調インキに含有させる樹脂ビーズ（マット剤）としては、シリカ、炭酸カルシウム、硫酸バリウム等の微粒子や、バインダーの溶剤に溶解しない樹脂の微粒子等を使用することができる。
かかる樹脂ビーズの平均粒子径としては、５〜５０μｍのものを使用することが好ましく、３０μｍ程度がより好ましい。樹脂ビーズの平均粒子径が、上記の範囲内にあると、容易に上記深さの凹部を形成することができる。なお、樹脂ビーズの平均粒子径が、５μｍ未満の場合には、凹部の深さが５μｍとなる場合があり、凹部の形成が困難となる場合がある。
また、前記の樹脂ビーズをバインダー中に分散させたマット剤の添加量としては、１０〜２０質量％程度が好ましく、１７質量％程度がより好ましい。マット剤の添加量が、上記の範囲内にあると、コーティングを容易に行うことができる。
また、かかるスウェード調インキのコーティング方法としては、グラビア印刷、シルクスクリーン印刷等のインキ転移量が多い印刷方式が好ましい。グラビア版の版深、５〜６０μｍ程度のものを使用して印刷することにより、インキ膜厚１０〜３０μｍ程度にコーティングして突起を形成することができる。
なお、上記突起は、前記インキを用いて通常の印刷法でできるが、多色（９〜１１色）のグラビア印刷機等を使用することにより、色彩による絵柄を形成することもできる。
【００３７】
シュリンクラベルにはデザイン印刷層を設けることができる。デザイン印刷層は商品名などの情報や装飾を印刷した層である。デザイン印刷層は基材フィルムの内側面又は外側面に設けることができる。
印刷方法に限定はなく、例えばグラビア印刷で印刷層を形成することができる。印刷層としては、樹脂と溶媒から通常のインキビヒクルの１種ないし２種以上を調製し、これに、必要ならば、可塑剤、安定剤、酸化防止剤、光安定剤、紫外線吸収剤、硬化剤、架橋剤、滑剤、帯電防止剤、充填剤、その他等の助剤の１種ないし２種以上を任意に添加し、更に、染料・顔料等の着色剤を添加し、溶媒、希釈剤等で充分に混練してインキ組成物を調整して得たインキ組成物を使用することができる。
このようなインキビヒクルとしては、公知のもの、例えば、あまに油、きり油、大豆油、炭化水素油、ロジン、ロジンエステル、ロジン変性樹脂、シェラック、アルキッド樹脂、フェノール系樹脂、マレイン酸樹脂、天然樹脂、炭化水素樹脂、ポリ塩化ビニル系樹脂、ポリ酢酸系樹脂、ポリスチレン系樹脂、ポリビニルブチラール樹脂、アクリルまたはメタクリル系樹脂、ポリアミド系樹脂、ポリエステル系樹脂、ポリウレタン系樹脂、エポキシ系樹脂、尿素樹脂、メラミン樹脂、アミノアルキッド系樹脂、ニトロセルロース、エチルセルロース、塩化ゴム、環化ゴム、その他などの１種または２種以上を併用することができる。インクビヒクルは、版から被印刷物に着色剤を運び、被膜として固着させる働きをする。
また、溶剤によってインキの乾燥性が異なる。印刷インキに使用される主な溶剤は、トルエン、ＭＥＫ、酢酸エチル、ＩＰＡであり、速く乾燥させるために沸点の低い溶剤を用いるが、乾燥が速すぎると印刷物がかすれたり、うまく印刷できない場合があり、沸点の高い溶剤を適宜混合することができる。これによって、細かい文字もきれいに印刷できるようになる。着色剤には、溶剤に溶ける染料と、溶剤には溶けない顔料とがあり、グラビアインキでは顔料を使用する。顔料は無機顔料と有機顔料に分けられ、無機顔料としては酸化チタン（白色）、カーボンブラック（黒色）、アルミ粉末（金銀色）などがあり、有機顔料としてはアゾ系のものを好適に使用することができる。
上記は、グラビア印刷で説明したが、凸版印刷、スクリーン印刷、転写印刷、フレキソ印刷、その他等の印刷方式であってもよい。また、印刷は、裏印刷でも、表印刷でもよい。
【００３８】
本発明のシュリンクラベルでは、前記基材フィルムの表面側に更に外層を設けてもよい。このような外層としては、シュリンクラベルの用途や意匠性などによって適宜選択することができ、ラベル表面の滑り性を付与する場合にはＯＰニスを、ラベルを触ったときの触感を付与する場合にはスエードインキによる印刷層を、マット感を付与する場合にはマットＯＰなどを使用することが好ましい。
【００３９】
本発明では、上記シュリンクラベルのいずれかの層の形成に先立ち、予め表面処理を行った後に他の層を形成し、または積層してもよい。このような表面処理としては、コロナ放電処理、オゾン処理、酸素ガス若しくは窒素ガス等を用いた低温プラズマ処理、グロー放電処理、化学薬品等を用いて処理する酸化処理、その他等の前処理などがある。また、このような表面処理として、プライマーコート剤、アンダーコート剤、アンカーコート剤、接着剤、あるいは、蒸着アンカーコート剤等を任意に塗布し、表面処理としてもよい。
【００４０】
本発明におけるシュリンクラベルが、基材フィルムの内側面にデザイン印刷層などの印刷層を有する場合には、印刷層と共に、前記突部をインラインで印刷してもよい。これにより生産効率よく生産できる。なお、基材フィルム層のラベル外側に外層を有する場合には、予め基材フィルムにデザイン印刷層、突部を形成した後に反転させて、例えば硝化綿、ポリウレタン樹脂、ポリアミド樹脂、アクリル樹脂、これらの２種類以上を混合した樹脂などの透明ニスなどによる印刷を行うことで形成することができる。このような外層の厚さは、０．５〜５μｍで十分である。
【００４１】
シュリンクラベルに貫通孔を設け、またはラベルの開封用にミシン目を刻設する場合には、例えば、レーザー光を用いてシュリンクラベルの厚さ方向に所定深さまで切り込みをいれて形成させる方法、周囲に切断部と非切断部とが繰り返し形成された円板状の刃物を押し当てて形成させる方法等により行うことができる。該貫通孔やミシン目の形成は、ラベルを製造する工程で、適宜の段階で施すことができる。なお、ラベル開封用に刻設する場合には、切離開始部を起点として、２条の縦ミシン目を設けてもよく、該ミシン目によりラベルを容易に破断することが可能である。なお、該ミシン目は、２条に限らず、１条、あるいは、３条以上の複数条を設けることも可能である。
【００４２】
本発明では、例えば、前記シュリンクラベルの両端に設けた接着剤層を介して筒状に張り合わせ、これをガラスびんに装着し、その後、ラベルを熱収縮させることでシュリンクラベル付きガラスびんを製造することができる。シュリンクラベルは、突部を有する点に特徴があり、他は従来のシュリンクラベルと共通するため、従来のラベル貼着装置を使用して、シュリンクラベル付きガラスびんを製造することができる。
【００４３】
ラベル両端に接着剤層を形成するには、ダイレクトロールやグラビアロールなどを用いたロールコーター方式やエクストルージョンコーター方式やスリットオリフィスコーター方式などがあり、本発明ではどのような塗工方法でも差し支えなく、溶剤に溶解し塗工した後溶剤を取り除いても構わない。例えば、シュリンクラベルのラベル両端に接着剤層を形成するには、予め基材フィルム層にデザイン印刷層、流路形成層や外層を形成した積層フィルムに接着剤コーターや接着剤アプリケーターを用いて接着剤を塗工する方法を採用することができる。
なお、本発明において接着剤層の形成は、シュリンクラベル原反ロールを所定サイズに切断した後に接着剤層を形成してもよく、接着剤層を形成した後に所定サイズに切断してもよい。
【実施例】
【００４４】
図１は、実施例のシュリンクラベル付きガラスびんの略側面図で、ガラスびん１の胴部には、多数の突起３を設けることで凹凸が形成され、その凹部４は縦方向及び横方向に連続している。凹凸が形成されている領域Ａは、ガラスびんの全周であるが、図１では省略して表している。ガラスびん１の胴部はシュリンクラベル２で被覆し、シュリンクラベル２の上端２ａは凹凸を形成した領域Ａの上端よりも上方、シュリンクラベル２の下端２ｂは凹凸を形成した領域Ａの下端よりも下方となっている。
【００４５】
図２は、図１のシュリンクラベル付きガラスびんの胴部の略横断面図である。ガラスびん１の胴部表面に突起３が形成されることにより、縦横に連続する凹部４が形成されている。また、シュリンクラベル２の内側面には多数の突部９が設けられ、これにより少なくとも上下方向に連通する凹部１０が形成されている。ガラスびん１の胴部をシュリンクラベル２で被覆すると、凹部４が、縦横に連通する、空気及び漏れた内溶液の通路となる。さらに、凹部１０が少なくとも上下方向に連通する、空気及び漏れた内溶液の通路となる。びん割れが生じて内溶液が漏れ出した場合、漏れた内溶液が凹部４、１０を通り、シュリンクラベル下端から外部に流れ出すので、びん割れを容易に発見することができる。
【００４６】
本発明において、ガラスびん胴部に形成する凹凸は、平坦なガラス表面に凸部を設けて形成しても、凹部を設けて形成しても、凹部と凸部の双方を設けて形成してもよい。平坦なガラス表面に凸部を設ける例としては、突起を所定間隔で、又はランダムに多数設ける方法がある。突起の大きさは平均直径が１〜５ｍｍ程度、突起の高さは０．１〜３ｍｍ程度、突起の間隔は中心と中心が２〜１０ｍｍ程度が適当である。平坦なガラス表面に凹部を設ける例としては、ガラス表面を槌目模様状にする方法がある。槌目模様とは、表面に槌で叩いたような凹部が多数形成された模様である。槌目の大きさは平均直径で３〜１０ｍｍ程度が適当である。また、網目状に交差する溝を設ける方法もある。凹部と凸部の双方を設ける例としては、ガラス表面を梨地状にする方法などがある。梨地とは、不定形な微細な凹凸を無秩序に組み合わせた模様で、平坦なガラス表面に放電処理やエッチング処理などを施すことで得ることができる。
【００４７】
図３は、シュリンクラベル２の内側面に円形の突部９を所定間隔で設けたパターンの説明図である。突部９以外の部分が凹部１０となっており、凹部１０は上下方向及び左右方向に連通している。突部の直径は例えば１〜５ｍｍ、間隔は中心で３〜２０ｍｍ程度とすることができる。なお、凹部１０は少なくとも上下方向に連通していればよいが、その意味は、漏れ出した内容液が凹部１０を伝って下方向に流れればよいということである。
【００４８】
図４は、シュリンクラベル２の内側面に、突部９を縦方向の突条を所定間隔で設けることにより形成したパターンの説明図である。突部９以外の部分が凹部１０となっており、凹部１０は上下方向の縦縞状となっている。突部９の幅は例えば１〜５ｍｍ、凹部１０の幅は例えば２〜１０ｍｍとすることができる。突部９のパターンは図３、４に限るものではなく、要するに、凹部が少なくとも上下方向に連通するように形成されていればよい。
【００４９】
図５は、図１のシュリンクラベル付きガラスびんのシュリンクラベル２上端を凹凸を形成した領域Ａの上端よりも下方、シュリンクラベル２の下端２ｂを凹凸を形成した領域Ａの下端よりも上方としたものである。これにより、図１のものに比べて、シュリンクラベル２の上端からラベルとびん外面との間に空気が入りやすく、シュリンクラベル２の下端からは漏れ出した内容液が流出しやすくなっている。
【００５０】
図６は、図５のシュリンクラベル付きガラスびんのシュリンクラベル２の中間部（中央部）に、その周方向に沿って複数の孔を設けたものである。孔の直径は例えば１〜３ｍｍ、孔の間隔は例えば中心で３〜１０ｍｍとすることができる。これにより、例えばびんが孔５よりも上で割れた場合、内容液が孔５から流れ出し、びん割れを早く発見できる。びんが孔５よりも下で割れた場合、孔５から空気がラベルとびんの間に進入して内溶液の流れをスムースにし、内溶液が早くラベル下端２ｂから流れ出て、やはり、びん割れを早く発見できる。このような作用効果を得るために孔をシュリンクラベルの中間部に設ける場合は、孔を、シュリンクラベルの高さ方向の中央から上下方向にそれぞれＨ／８（Ｈはシュリンクラベルの高さ）の範囲内に設けるのがよい。
【００５１】
図７〜９は、実施例のシュリンクラベル付きガラスびんの略側面図で、ガラスびん胴部に形成する凹凸の他例を説明するためのものである。図７はガラスびん１の胴部に梨地状の凹凸６が形成されている例である。図８はガラスびん１の胴部に槌目模様状の凹部７が形成されている例である。図８はガラスびん１の胴部に星形の凹部８を形成することで凹凸を形成した例である。このように、凹凸の形状で意匠的効果をあげることもできる。
【００５２】
図１０は実施例のシュリンクラベル付きガラスびんの略側面図で、ガラスびん胴部に上下方向の溝１１（縦溝）を形成した例を示している。ガラスびんに形成する溝は縦溝に限らず、斜め方向、斜め方向が交叉したもの、縦方向・横方向が交叉したものなど、少なくとも上下方向に連通する（漏れ出た内溶液が下方に流れる）溝となっていればよい。
【００５３】
図１１はシュリンクラベル２の断面の一例を示すものである。この例においては、基材フィルム２’の内面にデザイン印刷層１２、その上に地色印刷層１３、その上に突部９を設けている。デザイン印刷層１２は商品名や装飾を印刷した層である。地色印刷層１３はデザイン印刷層１２のない部分、すなわち本来透明となる部分に地色を入れ、透明部分を無くすものである。地色印刷層はラベルの全面に設けてもよいし、デザイン印刷層がない部分のみに設けてもよい。また、デザイン印刷層は基材フィルム２’の外面に設けてもよい。また、デザイン印刷層及び地色印刷層を突部９の上側（内面側）に設けることもできる。
【００５４】
基材フィルムとして、厚さ４５μｍの１軸延伸ポリエチレンテレフタレート樹脂フィルム（東洋紡株式会社製、製品名「Ｓ７５４２」）を準備した。前記の１軸延伸ポリエチレンテレフタレート樹脂フィルムの裏面に、両端の接着剤層以外の箇所にグラビア印刷インキを使用し、グラビア印刷方式にて、文字、記号、図形、絵柄等からなる所定の印刷を裏刷り印刷してデザイン印刷層を形成した。
次に、平均粒径約２０μｍのアクリル樹脂ビーズをアクリル樹脂からなるバインダーに分散させたスウェード調インキ（大日精化株式会社製、製品名「ＯＳ−ＭスエードＯＰニス」、添加剤：ＶＹＳ、スウェードＤＰ添加剤）を、前記デザイン印刷層の上に、版深６０μｍのグラビアコーティングにて凹部の深さ１２μｍ、凹部面積率が３０％となるように塗工して突部を形成した。
次いで、フィルムを反転し、前記基材フィルム層のラベル外側に、厚さ３μｍのＯＰニス層を形成した。
得られた広巾印刷フィルムを４列にスリットし、同時にミシン刃を使用して貼り合わせ部を挟んで１２ｍｍ間隔で２本、１ｍｍの孔と１ｍｍのつなぎのピッチでミシン目を入れた。その後、シロキサンを塗布してラベル両端を筒状に貼り合わせており径１１４ｍｍのラベルを作成した。
得られたロール状ラベルをラベル貼着機に装着し、ロータリー式カッターで１６０ｍｍピッチでカットし、同時に上から２０ｍｍ、下から２０ｍｍの位置に１ｍｍ孔と１ｍｍつなぎのピッチで貫通孔を入れた。次いで、このラベルを、直径６０ｍｍの円形ガラスびん（図１０の縦溝付きガラスびん：溝幅２ｍｍ、溝深さ０．５ｍｍ、溝中心ピッチ１０ｍｍ）に外嵌し、熱収縮処理を行ってシュリンクラベル付ガラスびんを調製した。
このガラスびんに装着されたラベルには、深さ１２μｍ、凹部面積率３０％の凹部が形成されていた。
このシュリンクラベル付きガラスびんに水を封入した後、衝撃を与えて破損させて観察した結果、内溶液が速やかにラベル外部に漏れ出すことが判明した。
【００５５】
基材フィルムとして、厚さ４０μｍのフィルム（三菱樹脂株式会社製、製品名「ＤＬ３０１ｓ」、ポリエチレンテレフタレート樹脂・ポリスチレン樹脂共押出し多層フィルム）の熱収縮フィルムを準備した。
前記の積層フィルムの裏面に、両端の接着剤層以外の箇所にグラビア印刷インキを使用し、グラビア印刷方式にて、文字、記号、図形、絵柄等からなる所定の印刷を裏刷り印刷してデザイン印刷層を形成した。
次に、ウレタン樹脂系の盛り上げインキ（製品名「KKBキュアＵマットメジウム」、大日精化株式会社製）を、前記デザイン印刷層の上に、グラビアコーティングにて凹部の深さ１２μｍ、凹部面積率が３０％となるように塗工して突部を形成した。
得られた広巾印刷フィルムを４列にスリットし、同時にミシン刃を使用して貼り合わせ部を挟んで１２ｍｍ間隔で２本、１ｍｍの孔と１ｍｍのつなぎのピッチでミシン目を入れた。その後、シロキサンを塗布してラベル両端を筒状に貼り合わせており径１１４ｍｍのラベルを作成した。
得られたロール状ラベルをラベル貼着機に装着し、ロータリー式カッターで１６０ｍｍピッチでカットし、同時に上から２０ｍｍ、下から２０ｍｍの位置に１ｍｍ孔と１ｍｍつなぎのピッチで孔を入れた。次いで、このラベルを、直径６０ｍｍの円形ガラスびん（図１０の縦溝付きガラスびん：溝幅２ｍｍ、溝深さ１ｍｍ、溝中心ピッチ１０ｍｍ）に外嵌し、熱収縮処理を行ってシュリンクラベル付ガラスびんを調製した。
このガラスびんに装着されたラベルには、深さ１２μｍ、凹部面積率３０％の凹部が形成されていた。
このシュリンクラベル付きガラスびんに水を封入した後、衝撃を与えて破損させて観察した結果、内溶液が速やかにラベル外部に漏れ出すことが判明した。
【図面の簡単な説明】
【００５６】
【図１】実施例のシュリンクラベル付きガラスびんの側面図である。
【図２】図１の略横断面図である。
【図３】シュリンクラベルの突部９のパターンの例の説明図である。
【図４】シュリンクラベルの突部９のパターンの例の説明図である。
【図５】実施例のシュリンクラベル付きガラスびんの側面図である。
【図６】実施例のシュリンクラベル付きガラスびんの側面図である。
【図７】実施例のシュリンクラベル付きガラスびんの側面図である。
【図８】実施例のシュリンクラベル付きガラスびんの側面図である。
【図９】実施例のシュリンクラベル付きガラスびんの側面図である。
【図１０】実施例のシュリンクラベル付きガラスびんの側面図である。
【図１１】シュリンクラベルの断面図である。
【符号の説明】
【００５７】
１  ガラスびん
２  シュリンクラベル
３  突起
４  凹部
５  連通孔
６  梨地状の凹凸
７  槌目模様状の凹部
８  星形の凹部
９  突部
１０  凹部
１１  溝
１２  デザイン印刷層
１３  地色印刷層
【図１】
2008207858.tif 000003
【図２】
2008207858.tif 000004
【図３】
2008207858.tif 000005
【図４】
2008207858.tif 000006
【図５】
2008207858.tif 000007
【図６】
2008207858.tif 000008
【図７】
2008207858.tif 000009
【図８】
2008207858.tif 000010
【図９】
2008207858.tif 000011
【図１０】
2008207858.tif 000012
【図１１】
2008207858.tif 000013